(57)【特許請求の範囲】
【請求項１】
リュックサック本体１の背面上部中央に縦長中空状の上下可動制限用の環体２を設け、該環体２の中空部３を貫通して可撓性あるクッションバー４を環体２の位置を中心として左右の長さを同寸法でその左右端を固定して水平に取り付け、且つ該クッションバー４の中央部に、環体２を挟んだ位置において左右一対の背負いバンド取付端子５及び６の一端を固定し、他端を遊端状態に取り付けると共に、該背負いバンド取付端子５及び６の遊端部に左右一対の背負いバンド７及び８の先端を軸体９により回転自在に取り付けたことを特徴とするリュックサックの衝撃緩和装置。
【発明の詳細な説明】
【０００１】
【産業上の利用分野】
本発明は、リュックサックを背負っての歩行時に、身体の上下左右動に対してリュックサックの重量が直接両肩に衝撃を与えないよう、重量ショックを吸収緩和させる背負い心地の良いリュックサックに関するものである。
【０００２】
【従来技術】
従来技術としては、リュックサックを背負ったときの重量負荷を吸収緩和するためにリュックサック本体と背負いバンドとの連接部に弾性体を介することにより、その弾性体によって重量負荷による肩へのショックを吸収緩和する構成となっているリュックサックは存在する。但し、このショック吸収緩和機構はゴム等の伸縮性あるリング状弾性体または帯状ゴム等を用いてリュックサック本体と背負いバンドとを連結する構成になっている。この場合、リング状弾性体または帯状ゴム等に対する背負いバンドの取り付け工程が複雑となり、またリング状弾性体を成形するための工程及びその伸縮率や強度の調整が材質や金型取りの関係上困難であると同時に過重時に切断の恐れが強いこと、また、リュックサックの重量ショックの吸収力が弱く、更にリュックサックを背負っての歩行時にリュックサックの左右への揺れと身体の動きとの関係においてバランスが悪いという欠点のあることが判明した。
【０００３】
【発明が解決しようとする課題】
従来技術によれば、前記の如く、リング状弾性体または帯状ゴム等を用いたときに発生する製造工程の複雑さや成形コスト及びリュックサックにリング状弾性体を介して背負いバンドの取り付ける工程において縫製の煩雑さに問題があった。即ち、リング状弾性体を製造するには金型が必要であり、これにかかるコストが高くつくこと。また、自社で製造するには設備が必要となり、この設備投資にかかる資金が必要となり、且つ償却負担がかかること。従って、外注依存にならざるを得ず、前給付価値が発生すること。即ち自社製造よりもコストがかかること等コスト面に課題があるほか、リング状弾性体の形状が文字通り円形であることから、背負いバンドを取り付けるときにリングに巻き付けるように縫着する工程が煩雑で技術的要素が必要であるという課題に加えて、重量が掛かり過ぎたときにはリング状弾性体または帯状ゴムが破断する恐れがあるほか、リング状弾性体を用いた場合にはゴムの伸び縮みで肩に掛かる重量ショックは吸収されるものの歩行時の身体の動きによってゴムの伸び縮み運動が上下左右のみならず前後に及ぶために身体の動きとリュックサックの揺れとの関係においてリュックサックが上下左右前後に振れることがあることからバランスが悪いという欠点があり、これら問題点の解決をすることを課題とする。
【０００４】
【課題を解決するための手段】
前記課題を解決するために、リュックサック本体と背負いバンドの取り付け部分に、肩の動きと腰の動きを吸収するための衝撃緩衝材（例えばグラスファイバーポール）たる可撓性ある棒、即ちクッションバーを介在させ、該クッションバーを板ばねのように利用して、このばね効果によってリュックサックから肩に伝わる重量ショックを緩和する手段を講ずる。即ちリュックサック本体の背面上部中央に縦長の上下可動制限用の環体を設けると共に、クッションバーを該環体の中空部を水平に貫通し、且つ環体の位置を中心に左右の寸法が同寸法となるようにその両端をリュックサックの背面に固定して取り付け、該クッションバーの中央左右、即ち環体を挟んだ左右の位置に一端をクッションバーに固定し多端を遊端状態になした左右一対の背負いバンド取付端子を設け、該背負いバンド取付端子のそれぞれに、左右一対の背負いバンドの先端をハトメ又は鋲等の軸体により左右に回転自在かつリュックサックの背面に対してクッションバーを介して間接的に取り付ける手段を講ずる。
【０００５】
【作用】
前記の手段によれば、リュックサック本体の背面と背負いバンドとは直接的に固定されずにクッションバーを介してリュックサックの重量を支えることになり、クッションバーが板ばねの役割を果たすためにリュックサックの重量がクッションバーの弾力によって吸収され両肩に直接的な重量負荷が掛かることがなく、よって従来技術に優る重量ショック緩和効果を発揮することが出来る。更に上下可動制限用の環体の中空部がクッションバーの上下の撓み範囲を制限することによって、クッションバーに重量が掛かり過ぎた場合には環体の上限一杯迄しか撓むことができないために折損の危険が少なくなり、安全にリュックサックを背負うことが出来るのみならず、クッションバーの両端でリュックサックをつり下げる状態となるために、天秤棒的な作用が生じリング状弾性体を用いた場合の身体の動きとリュックサックの揺れとの関係においてリュックサックが上下左右前後に振れる現象がなくなるほか、背負いバンドを直接クッションバーに取り付けずに背負いバンド取付端子にハトメ又は鋲等の軸体を用いて左右に回転自在に取り付けることにより、背負いバンドの肩に対する角度を左右横方向へ変化させることが出来るために肩との関係に融通性が生じ、肩にフィットさせることが出来る作用がある。
【０００６】
【実施例】
本発明の実施例を図面により説明すれば、１はリュックサック本体、２は縦長中空状の上下可動制限用の環体であり、３は該環体２の中空部であってリュックサック本体１の背面上部中央に位置して取り付けたものである。４は可撓性ある棒、即ちクッションバーであって、前記環体２の中空部３を水平に貫通し、且つ環体２の位置を中心として左右の長さを同寸法となした状態で両端をリュックサック本体１の背面上部左右に固定的に取り付けたものである。５及び６は左右一対の背負いバンド取付端子であって、環体２を挟んだ位置において一端をクッションバーに固定し他端を遊端状態に取り付けたものである。７及び８は左右一対の背負いバンドであって、先端部を前記の背負いバンド取付端子５及び６のそれぞれにハトメ又は鋲等の軸体９により左右に回転自在に取り付けたものであり、かつ、環体２を挟んだ左右の位置に、リュックサック本体１の背面に対してクッションバー４を介して間接的且つ遊動状態に取り付けたものである。
【０００７】
【発明の効果】
本発明によれば、従来技術の問題点であった製造工程の複雑さやリング状弾性体または帯状ゴム等の破断の危険性、またリング状弾性体への背負いバンドの取り付け工程の複雑さを排除することが出来る。即ち、従来技術のようにリング状弾性体に代えて真っすぐな可撓性ある棒、即ちクッションバーを使用することによって背負いバンド取付端子の先端を固定的に取り付けるにあたっては、背負いバンド取付端子の先端をクッションバーの直径に合うように直線的なループ状に縫製して、これをクッションバーに差し込めば簡単に取り付けることが出来るために円形のリングに取り付けるよりもはるかに容易であること。また、リング状弾性体を成形するための金型や設備が不要となり、且つ外注依存をせずとも自社処理が出来るためにコストが節約できる経済的効果の他、リュックサック本体の背面と背負いバンドとは直接的に固定されずにクッションバーを介してリュックサックの重量を支えることになり、クッションバーが板ばねの役割を果たすためにリュックサックの重量がクッションバーの弾力によって吸収され両肩に直接的な重量負荷が掛かることがなく、よって従来技術に優る重量ショック緩和効果を発揮することが出来る。更に上下可動制限用の環体の中空部がクッションバーの上下の撓み範囲を制限することによって、クッションバーに重量が掛かり過ぎた場合には上下可動制限用の環体の上限一杯迄しか撓むことができないために折損の危険が少なくなり、従来よりもより安全且つ快適にリュックサックを背負うことが出来る効果がある。更に、背負いバンドを直接クッションバーに接続せずに背負いバンド取付端子を設け、これに左右回転自在に接続することにより、背負いバンドの左右への開き具合に無理がなくなり、従来のリュックサックのように背負ったときに肩幅によって背負いバンドが捩じれることがなく、快適に背負える効果がある。
【０００７】
【図面の簡単な説明】
【図１】リュックサック本体の背面図である。
【図２】背面図であって併せてクッションバーの加重時の態様を示す。
【図３】縦長中空状の上下可動制限環体の側面図であって、クッションバーの正常位置を示す。
【図４】縦長中空状の上下可動制限用の環体の側面図であって、過重時のクッションバーの位置を示す。
【図５】背負いバンド取付端子と背負いバンドとの取り付け態様を示す平面図である
【符号の説明】
１、リュックサック本体
２、環体
３、中空部
４、クッションバー
５、背負いバンド取付端子
６、背負いバンド取付端子
７、背負いバンド
８、背負いバンド
９、軸体
【図１】
0003861106.tif 000002
【図２】
0003861106.tif 000003
【図３】
0003861106.tif 000004
【図４】
0003861106.tif 000005
【図５】
0003861106.tif 000006